(57)【特許請求の範囲】
【請求項１】
下地上に固定される固定部材に取り付けられ、流れ方向に直交するように配される桟部材を介して外設部材が設置される支持部材の配設構造であって、
前記固定部材は、下地に固定する固定部と、固定部から立ち上がる持出部として左右一対の側壁と、レベル調整手段とを有し、前記持出部に設けられる取付部として水上側に向かって開口する長孔溝と、を有し、
前記支持部材は、締着部材の大径部を収納し、且つ締着部材をスライド可能に保持する溝部を有し、前記固定部材の取付部に取り付けられる取付受部として溝部に保持される締着部材を有し、
流れ方向に沿って配設される前記支持部材は、少なくとも水下側、水上側が間隔を介して分割状に構成され、前記支持部材を、前記固定部材の側壁間に配設し、前記支持部材の溝部に、前記締着部材の大径部を収納した状態で、水上側から前記固定部材の前記長孔溝に取り付け可能であり、任意の位置にて前記固定部材に対して前記支持部材を締着することができることを特徴とする支持部材の配設構造。
【請求項２】
支持部材は、定尺材からなると共に、下地上に固定される固定部材毎に構成されていることを特徴とする請求項１に記載の支持部材の配設構造。
【請求項３】
請求項１又は２に記載の配設構造により固定された支持部材に桟部材を介して間接的に外設部材として太陽電池パネルを固定してなることを特徴とする太陽電池パネルを含む外装構造。
【発明の詳細な説明】
【技術分野】
【０００１】
本発明は、太陽電池パネル等の外設部材を設置する際に、連続材を用いないことで調整を容易にし、さらに、連続材を用いなくても固定部材の取付箇所と太陽電池の働き幅のズレを吸収することができる支持部材の配設構造、及び太陽電池パネルを含む外装構造に関する。
【背景技術】
【０００２】
近年、既存屋根上に太陽電池パネル等を設置する場合、縦方向、横方向或いは両方に桟部材を配して各種パネルを取り付けるものが提案されている（特許文献１）。
この特許文献１に記載の固定構造は、ピース状の支持部材１０に、流れ方向に連続する桟部材２０を固定し、該桟部材２０に太陽電池パネル２を載置して固定する構造である。
【先行技術文献】
【特許文献】
【０００３】
【特許文献１】特開２０１０−２６１２５７号公報
【発明の概要】
【発明が解決しようとする課題】
【０００４】
前記特許文献１は、桟部材２０を流れ方向に連続させるという構成を採用している。即ち太陽電池パネルの敷設対象となる屋根下地（既存屋根を含む）は、どのような箇所にも固定できるものではなく、下地の構成や既存屋根材の有無、種類等によって様々な制限を受ける。一方で太陽電池パネルは、様々なサイズが存在するため、前述の制限を受けた取付箇所と太陽電池パネルの取付箇所が合致しないことが多々有った。そのような太陽電池パネルと固定箇所が制限を受けなくするために、前記特許文献１のように太陽電池を（直接もしくは間接的に）支持する桟部材を流れ方向に連続させて配設している。
しかしながら、このように桟部材を流れ方向に連続させる場合、太陽電池を流れ方向に何枚配するかによって、２枚用、３枚用等のように異なる長さの桟部材を用意するか、長尺な桟部材を現場にて切断して用いられている。
前者の場合には、想定される枚数分の桟部材をそれぞれ準備（製品として）し、さらにこのような長さの異なる桟部材は、サイズが異なるパネル毎に用意する必要があり、部材数が膨大になり、管理が煩雑になるという問題があった。
後者の場合には、工場や現場にて都度切断するため手間がかかるという問題があるとともに、切断した余り（部材のロス）が発生するという問題もあった。
また、太陽電池を敷設する場合、このような桟部材を複数列配設するが、固定部材の施工誤差、固定部材へ支持部材を取り付けるときの施工誤差や、桟部材の長さ等に成形時(加工時)の誤差等があると、軒先、棟側等に出っ張りや引っ込みができ、太陽電池の周辺に取り付けられる化粧カバー等が「出」によって取り付けられない恐れもあった。このような「出」は、連続材であるが故に流れ方向の数カ所で固定されているため調整が難しいものである。
【０００５】
そこで、本発明者らは、太陽電池パネル等の外設部材を設置する際に、連続材を用いないことで調整を容易にし、さらに、連続材を用いなくても固定部材の取付箇所と太陽電池の働き幅のズレを吸収することができる支持部材の配設構造、及び太陽電池パネルを含む外装構造を提案することを目的とする。
【課題を解決するための手段】
【０００６】
本発明は、上記に鑑み提案されたものであって、下地上に固定される固定部材に取り付けられ、流れ方向に直交するように配される桟部材を介して外設部材が設置される支持部材の配設構造であって、前記固定部材は、下地に固定する固定部と、固定部から立ち上がる持出部として左右一対の側壁と、レベル調整手段とを有し、前記持出部に設けられる取付部として水上側に向かって開口する長孔溝と、を有し、前記支持部材は、締着部材の大径部を収納し、且つ締着部材をスライド可能に保持する溝部を有し、前記固定部材の取付部に取り付けられる取付受部として溝部に保持される締着部材を有し、流れ方向に沿って配設される前記支持部材は、少なくとも水下側、水上側が間隔を介して分割状に構成され、前記支持部材を、前記固定部材の側壁間に配設し、前記支持部材の溝部に、前記締着部材の大径部を収納した状態で、水上側から前記固定部材の前記長孔溝に取り付け可能であり、任意の位置にて前記固定部材に対して前記支持部材を締着することができることを特徴とする支持部材の配設構造に関するものである。
【０００７】
また、本発明は、前記配設構造において、支持部材は、定尺材からなると共に、下地上に固定される固定部材毎に構成されていることを特徴とする支持部材の配設構造をも提案する。
【０００９】
さらに、本発明は、前記配設構造により固定された支持部材に桟部材を介して間接的に外設部材として太陽電池パネルを固定してなることを特徴とする太陽電池パネルを含む外装構造をも提案するものである。
【発明の効果】
【００１０】
本発明の支持部材の配設構造は、流れ方向の水下側、水上側に間隔を介して非連続状に支持部材を配設するので、微調整を容易に行うことができ、しかもこの微調整によって他部材へ影響を及ぼさないため、下地の構成に影響されずに施工できる。また、太陽電池パネルのサイズに応じた支持部材を用意する必要もないため、材料費の低減を実現して安価に提供可能な構造となる。さらに、連続材を用いた従来の施工のように、軒先、棟側等に出っ張りや引っ込みが生ずることもないため、太陽電池パネルの周辺に化粧カバー等も容易に取り付けることができる。
また、固定部材が、対向する側壁と、レベル調整手段とを有し、前記側壁には水上側に向かって開口する長孔溝が形成され、支持部材は、締着部材の大径部を収納し、且つ締着部材をスライド可能に保持する溝部を有し、前記支持部材を、前記固定部材の側壁間に配設し、前記支持部材の溝部に、締着部材の大径部を収納した状態で、水上側から固定部材に取り付け可能である場合には、締着部材の大径部を支持部材の溝部に収納した状態で固定部材に水上側から取り付け可能であり、しかも締着部材は溝部内をスライド可能（相対的に支持部材の位置調整が可能）であるため、任意の位置に調整して締着することができる。なお、この締着部材としては、汎用のボルトを用いることができる。
そのため、面倒な手間を必要とすることもなく、部材の落下等も生じ難く、特殊な構成のナットを用いる必要もなく、極めて容易に太陽電池パネルを設置する支持部材を取り付けることができる。
【００１１】
また、支持部材は、定尺材からなると共に、下地上に固定される固定部材毎に構成されている場合、固定部材は、桟部材の配設箇所付近に限定され、該固定部材に取り付けられる支持部材は、桟部材の配設箇所、即ち太陽電池パネルのサイズに調整して取り付けられるものとなる。この場合、支持部材を全て非連続状にすることで部材費の削減を図ることができる。また、水下、水上、その他部位を全て同一部材（サイズ）とすることで、部材費の低減と部材管理を容易にすることができる。
【００１３】
さらに、前記支持部材の配設構造を用いた本発明の外装構造は、極めて容易に支持部材を取り付けることができ、しかも面倒なレベル調整も必要としないので、極めて容易に太陽電池パネルを設置することができるものである。
【図面の簡単な説明】
【００１４】
【図１】（ａ）本発明の支持部材の配設構造を用いた外装構造の一実施例（第１実施例）を示す即断面図、（ｂ）他の一実施例（第２実施例）を示す側断面図である。
【図２】（ａ）水下側及び水上側を含む流れ方向の全体に沿って比較的短尺の定尺材である支持部材のみを配設した構造を示し、第１実施例の太陽電池パネルを２枚並列した状態を示す側断面図、（ｂ）第１実施例の太陽電池パネルより幅広の太陽電池パネルを３枚並列した状態を示す側断面図、（ｃ）第１実施例の太陽電池パネルを３枚並列した状態を示す側断面図、（ｄ）第１実施例の太陽電池パネルより幅狭の太陽電池パネルを３枚並列した状態を示す側断面図、（ｅ）第１実施例の太陽電池パネルを４枚並列した状態を示す側断面図、（ｆ）第１実施例の太陽電池パネルを５枚並列した状態を示す側断面図である。
【図３】（ａ）第１実施例の外装構造の取付手順を示す斜視図、（ｂ）それに用いた固定部材のシーリングを示す斜視図及び平面図、（ｃ）それに用いた固定部材の拡大断面図、（ｄ）それに用いた支持部材の拡大断面図である。
【図４】（ａ）第１実施例の外装構造の水下側（軒先納め）を示す分解斜視図、（ｂ）水上側（頂部納め）を示す分解斜視図、（ｃ）用いた桟部材の拡大断面図である。
【図５】固定部材の調整部の役割を説明する側断面図である。
【図６】（ａ）本発明における固定部材のバリエーションを示す斜視図であり、第１実施例における固定部材を示す斜視図、（ｂ）他の一実施例における固定部材を示す斜視図、（ｃ）他の一実施例における固定部材を示す斜視図、（ｄ）他の一実施例における固定部材を示す斜視図である。
【図７】（ａ）固定部材、支持部材及び桟部材が別の態様の外装構造を示す側断面図、（ｂ）それに用いた固定部材及び支持部材を示す斜視図、（ｃ）固定部材、支持部材及び桟部材が更に別の態様の外装構造を示す側断面図である。
【発明を実施するための形態】
【００１５】
本発明の配設構造における支持部材は、下地上に固定される固定部材に取り付けられ、流れ方向に直交するように配される桟部材を介して太陽電池パネル等の外設部材が設置されるものであり、流れ方向に沿って配設される支持部材は、少なくとも水下側、水上側が間隔を介して分割状に構成されている。
【００１６】
この支持部材は、前記固定部材に取り付けられる取付受部を有するものであればよく、それ以外の構成は特に限定するものではない。
【００１７】
本発明における下地は、既存屋根を含む太陽電池パネル等の外設部材を固定する取付対象を指し、既存屋根についても特にその構成を限定するものではなく、後述する図示実施例ではスレート等の表面が平坦状の下地であるが、和がわら、洋瓦等の波形状の下地に対しては、平坦状となるスペーサを介して固定してもよい。
【００１８】
前記固定部材は、下地に固定する固定部と、固定部から立ち上がる持出部と、該持出部に設けられる取付部と、を有するものであればよく、それ以外の構成は特に限定するものではない。また、この固定部材は、一部材からなるものであっても、複数部材から構成されるものであってもよい。
【００１９】
前記支持部材は、比較的短尺な定尺材からなると共に、下地上に固定される固定部材毎に構成されていることが望ましい。この場合、水下側、水上側ばかりでなく、流れ方向全体に非連続状に比較的短尺な定尺材である支持部材を配設するものとなり、部材作製（製造）や管理が容易である。
【００２０】
本発明の支持部材の配設構造により固定された支持部材に桟部材を介して間接的に取り付ける太陽電池パネルとしては、特にその具体的構成を限定するものではなく、例えば後述する図示実施例に示すように面板部に太陽エネルギー変換モジュール（以下、太陽電池という）を備え、該面板部の少なくとも対向する側縁に成形部（フレーム材）を設けた構成でもよいし、桟部材を介在させて太陽電池パネルを取り付けるようにしてもよい。
前記太陽電池は、特にその構成及び形状を限定するものではなく、多結晶，単結晶，アモルファス等のシリコン系、化合物系、有機系などどのような太陽電池を用いてもよい。
【００２１】
このように、本発明に用いる支持部材や固定部材については特にその形状等を限定するものではないが、後述する図示実施例に示す望ましい態様について以下に説明する。
【００２２】
好ましい固定部材としては、前記下地に固定する固定部と、この固定部から立ち上がる左右一対の側壁と、レベル調整手段とを有する構成であり、前記側壁には水上側に向かって開口する長孔溝が形成される。
この態様の固定部材において、前記持出部とは側壁を指し、この持出部に設けられる取付部とは長孔溝を指す。
【００２３】
前記側壁は、鉛直状でもよいし、支持部材を包持する内側への傾斜部分である折曲部を有する構成でもよい。後者の場合には、上方への持ち上がりを防止する規制手段の役割を果たすばかりでなく、傾斜状の側壁に長孔溝を設ける（但し、支持部材の溝部が側方でなくやや上方を向くと想定して）ことで締着作業をより容易に行うことができる。
【００２４】
前記レベル調整手段としては、例えば後述する図示実施例のように側壁の下方をテーパ状とすることで既存スレート屋根の勾配を太陽電池パネル等の新設用レベルに調整してもよいし、或いは固定部の下方にスペーサ（断面三角状）を介在させることにより、固定部材自体のレベル調整を行うようにしてもよい。この固定部材と別体のスペーサについては、固定部材に一体化させたものでも、下地に対して固定したものでも、一体成形したものでもよい。
【００２５】
前記長孔溝は、水上側に向かって開口しており、後述する支持部材の溝部に大径部が収容された状態の締着部材（大径部を除く部分）が遊嵌可能である。前述のように締着部材としては汎用のボルトを用いることができるので、この場合には頭部が大径部であり、雄ねじ部分が長孔溝に遊嵌する。
【００２６】
好ましい支持部材としては、締着部材の大径部を収納し、且つ締着部材をスライド可能に保持する溝部を有する構成である。また、この支持部材は、前記固定部材の側壁間に配設されて取り付けられるものであり、取付状態において前記固定部材の側壁の内側に沿う側面に溝部が形成される。したがって、この支持部材の幅は前記固定部材の側壁間より僅かに小さく形成され、溝部は、側方が開放する構成である。
この態様の取付受部とは、溝部に保持される締着部材を指す。
【００２７】
前記溝部は、前述のように締着部材の大径部を収納し、且つ締着部材をスライド可能に保持するものであって、側方が開放し、内部に断面が略矩形状の空間を有するものであって、開放部に内側へせり出した突出部が設けられ、収納した大径部の脱落を防止する構成である。
【００２８】
前記溝部に保持させる締着部材は、特に限定するものではないが、前述のように汎用のボルトを用いることができ、その場合には溝部内に収納する大径部が頭部であり、雄ねじ部分が溝部外へ突出する。
この締着部材としては、予め緩くナットを連結しておいてもよく、この状態でも大径部（頭部）を支持部材の溝部に収納した状態で固定部材に水上側から取り付け可能であるから、ナットを落下させることなく、速やかに締着作業に取りかかることができる。
【００２９】
以上説明した支持部材及び固定部材を用いることにより、以下の効果が果たされる。
締着部材の大径部を支持部材の溝部に収納した状態で固定部材に水上側から取り付け可能であり、しかも締着部材は溝部内をスライド可能（相対的に支持部材の位置調整が可能）であるため、任意の位置に調整して締着することができる。なお、この締着部材としては、汎用のボルトを用いることができる。
特に締着部材として、予め緩くナットを連結しておくことにより、固定部材に水上側から取り付けて速やかに締着することができる。
したがって、前述の従来の固定構造に比べて面倒な手間を必要とすることもなく、部材の落下等も生じ難く、特殊な構成のナットを用いる必要もなく、極めて容易に太陽電池パネルを直接的又は間接的に設置する支持部材を取り付けることができる。
【実施例】
【００３０】
図１（ａ），（ｂ）に示す本発明の第１実施例及び第２実施例は、下地４Ｃ上に固定される固定部材２Ａに取り付けられ、流れ方向に直交するように配される桟部材５Ａを介して太陽電池パネル６Ａ等の外設部材が設置される支持部材１Ａの配設構造であって、前記固定部材２Ａは、下地４Ｃに固定する固定部２１と、固定部２１から立ち上がる持出部２２と、該持出部２２に設けられる取付部２２２と、を有し、前記支持部材１Ａは、前記固定部材２Ａの取付部２２２に取り付けられる取付受部３ａを有し、流れ方向に沿って配設される支持部材１Ａは、少なくとも水下側、水上側が間隔を介して分割状に構成されている。
即ち図１（ａ）に示す第１実施例では、水下側及び水上側に、比較的短尺の定尺材である支持部材１Ａ，１Ａを用い、それ以外には比較的長尺の支持部材１Ａ'を用いており、図１（ｂ）に示す第２実施例では、水下側及び水上側を含む流れ方向の全体に沿って比較的短尺の定尺材である支持部材１Ａのみを配設した構造である。
【００３１】
図２には、前記図１（ｂ）の第２実施例と同様に水下側及び水上側を含む流れ方向の全体に沿って比較的短尺の定尺材である支持部材１Ａのみを配設した構造を示し、図２（ａ），（ｃ），（ｅ），（ｆ）は前記第１実施例の太陽電池パネル６Ａを取り付ける構造として示し、それぞれの屋根面（太陽電池部分の長さ）が整数倍（２倍〜５倍）の流れ寸法のようになっている。例えば図２（ｅ）には、固定部材２Ａに対して支持部材１Ａが直上、軒側もしくは棟側に調整した態様が示されている（桟部材５Ａの位置がずれている）。これは太陽電池パネル６Ａを支持する桟部材５Ａの位置が太陽電池パネル６Ａの幅によって桟部材５Ａの位置が決まることによるものである。
また、図２（ｂ），（ｄ）は、図２（ｃ）と同様に太陽電池パネル６Ｗ，６Ｎを流れ方向に３枚ずつ（３列ずつ）敷設したものであり、図２（ｂ）の太陽電池パネル６Ｗは前記太陽電池パネル６Ａよりも幅広サイズであり、図２（ｄ）の太陽電池パネル６Ｎは前記太陽電池パネル６Ａより幅狭サイズであり、それぞれに応じて桟部材５Ａの位置が設定され、微調整することができる。このように取り付ける太陽電池パネル６Ｗ，６Ａ，６Ｎの寸法に応じてどのような屋根面の長さにも対応できることが明らかである。
【００３２】
図３〜図５に記載の外装構造の説明に際しては、前記図１及び図２に示す外装構造に用いた支持部材１Ａ、固定部材２Ａ、及び桟部材５Ａの詳細な機能等について説明する。
即ち図示実施例の外装構造は、対向する側壁（持出部）２２を有する固定部材２Ａと、締着部材３ａの大径部３１を収納し、且つ締着部材３ａをスライド可能に保持する溝部１１ａ，１１ａを有する支持部材１Ａとからなる持出構造により固定された支持部材１Ａに、桟部材５Ａを介して間接的に太陽電池パネル６Ａを固定してなる。
【００３３】
前記固定部材２Ａは、図３（ｂ），（ｃ）及び図６（ａ）に示すように下地４Ｃに固定する固定部２１と、この固定部２１から立ち上がる左右一対の側壁（持出部）２２と、レベル調整手段２４とを有する構成であり、前記側壁２２には水上側に向かって開口する長孔溝（取付部）２２２が形成される。この固定部材２Ａでは、側壁２２が持出部であり、長孔溝２２２が取付部に相当する。
図示実施例の固定部材２Ａは、側壁２２，２２が水上側に設けられ、水下側には内側が、内側が開放する略コ字状の保持部２３，２３が設けられているピース材である。この保持部２３は、上方への規制手段の一態様である。
また、前記固定部２１には、複数の孔２１１が設けられ、孔２１１に固定具２０にて下地４Ｃに固定するが、図３（ｂ）に示すように孔２１１（固定具２０頭部）や固定部２１の下面及び周縁には接着材兼シーリング材２５が配されている。
【００３４】
図示実施例の側壁２２は、内側への傾斜部分である折曲部２２１を有する構成（側壁２２の下半が略垂直状、側壁２２の上半が内側へ傾斜状）であり、その配設状態において左右から支持部材１Ａを包持することができ、その上方への持ち上がりを防止することができる。即ちこの折曲部２２１は、上方への規制手段の一態様である。
また、この側壁２２に設けられる長孔溝２２２は、前述のように水上側に向かって開口しており、前記折曲部２２１より上方に設けられ、後述する支持部材１Ａの溝部１１ａに大径部３１が収容された状態の締着部材３Ａが遊嵌可能である。
【００３５】
前記レベル調整手段２４は、この固定部材２Ａに取り付ける支持部材１Ａへ固定する太陽電池システム等のレベルを調整するものであり、このレベル調整手段２４より上方の側壁２２等と下地面（既存屋根）の勾配に沿う固定部２１間を側面視テーパー状とした。
このレベル調整手段２４の役割については、図５に示すように、一点鎖線で示された取付基準面にレベル調整したものであり、図面の右側が水上側、左側が水下側を示すが、この固定部材２Ｃの取付位置が水上側或いは水下側にずれたとしても、図示するように取付基準面に沿ってレベル調整手段２４を調整した支持部材１Ａを固定すればよく、太陽電池パネル６Ａを敷設する際にレベル調整をする必要が無く、容易に太陽電池パネル６Ａを敷設することができる。なお、ここで用いた固定部材２Ｃは、図６（ｃ）に示すように側壁２２に折曲部２２１が設けられない以外は、前記固定部材２Ａと全く同様である。
【００３６】
前記支持部材１Ａは、図３（ｄ）に示すように前述のように締着部材３ａの大径部３１を収納し、且つ締着部材３ａをスライド可能に保持する溝部１１ａを有する構成である。
図示実施例の支持部材１Ａは、中央に空間部１２を有する略門型成形体である比較的短尺な定尺材であって、左右及び頂部に合計５つの溝部１１ａ〜１１ｃを有する構成であり、各溝部１１ａ〜１１ｃは、何れも内部に断面が略矩形状の空間を備え、開放部に内側へせり出した突出部が設けられ、内部空間に収納する取付ボルト等の脱落を防止する構成である。
【００３７】
これらの溝部１１ａ〜１１ｃのうち、左右の中段に設けられ、外側やや上方が開放する溝部１１ａ，１１ａが、前記固定部材２Ａとの連結に用いられる締着部材３ａを保持するものであり、頂部の上方が開放する溝部１１ｂは、後述する桟部材５Ａの取り付けに用いられるものであり、左右の下段に設けられる外側が開放する溝部１１ｃは、調整機構として用いられていないが、その下方側面が、取付状態において、前記固定部材２Ａのレベル調整手段２４，２４上に載置させる設置部１３，１３であり、その略Ｌ字状の先端１４が前記固定部材２Ａの保持部２３に保持される被保持部１４である。
【００３８】
また、この支持部材１Ａは、前記固定部材２Ａの側壁２２，２２間に配設されて取り付けられるものであり、取付状態において、前記固定部材２Ａの側壁２２の長孔溝２２２の内側に溝部１１ａが連通するように配置される。
そして、図示実施例では、水下（軒側）、水上（棟側）が間隔を介して分割状（非連続状）に配するようにしている。図４（ａ）が水下側の納めを示し、図４（ｂ）が水上側の納めを示している。なお、この図４において、７Ｂ，７Ｃは納めカバー材を示す。
【００３９】
前記溝部１１ａに保持させる締着部材３ａは、汎用の六角ボルトであって、その頭部が前記溝部１１ａ内に収納させる大径部３１であり、雄ねじ部分が溝部１１ａ外へ突出するので、この雄ねじ部分を把持して所定位置に調整してもよい。また、この締着部材３ａとしては、予め緩くナット３ｂを連結しておいてもよい。
なお、この締着部材３ａは、前記支持部材１Ａの溝部１１ａに保持されるので、取付受部に相当する。
【００４０】
図示実施例の下地４Ｃは、流れ方向に配設された躯体４Ａ上に略平坦状に略ボード状の下地材４Ｂが敷設され、更にその上面にスレート屋根材４Ｃが段状に敷設されている構成である。なお、前記固定部材２Ａを配設する水上側のスレート屋根材４Ｃには、水切り板４Ｄが配設され、固定部材２Ａの固定部２１の周縁に水の溜まりが形成されるのを抑制するようにした。
【００４１】
また、前記桟部材５Ａは、流れ方向に取り付けられる前記支持部材１Ａに対して直交するように配設される、即ち桁行き方向に配設される連続材である。
図示実施例の桟部材５Ａは、図４（ｃ）に示すように高さの中程に、太陽電池パネル６Ａのフレーム材６ｂの下端を支持する段状部５１，５１が設けられ、頂部５３には、隣接する太陽電池パネル６Ａ，６Ａ間を塞ぐ覆い材７ａや納めカバー材７Ｂ，７Ｃ等がビス止めされる。また、流れ方向に向く両下端に、略Ｌ字状の係止片５２，５２を有し、該係止片５２に被さるように押さえ材５ｂが配設され、前記支持部材１Ａの溝部１１ｂに保持させた締着部材３ｃとナット３ｄにて取り付けられている。
【００４２】
前記桟部材５Ａに取り付けられる太陽電池パネル６Ａは、太陽電池の側縁に裏面側に中空部分を備えるフレーム材６ｂを周設した構成であって、このフレーム材６ｂの下端が前記桟部材５Ａの段状部５２に支持される状態で取り付けられる。
また、流れ方向に隣接する太陽電池パネル６Ａ，６Ａ間に、覆い材７ａを配してビス止めすることにより、水下側の太陽電池パネル６Ａのフレーム材６ｂを、覆い材７ａと桟部材５Ａとで挟むように一体的に固定すると共に、太陽電池パネル６Ａ，６Ａ間へのゴミ等の浸入を防止している。
【００４３】
これらの各部材から構成される第１実施例の外装構造は、図３（ａ）に矢印にて示すように組み付けられる。
図３（ａ）には、(1)前記固定部材２Ａの固定部２１に設けた複数の孔２１１に、固定具２０を打ち込んで下地４Ｃに固定すること、(2)前記固定部材２Ａを前記六角ボルトである締着部材３ａを支持部材１Ａの溝部１１ａに挿入すること、(3)該締着部材３ａを固定部材２Ａの長孔溝２２２に遊嵌させること、(4)更に締着部材３ａの雄ねじ部分に座金とワッシャーと共にナット３ｂを取り付けること、(5)固定部材２Ａの水上側のスレート屋根材４Ｃの下面に水切り板４Ｄを配設すること、(6)支持部材１Ａの溝部１１ｂに締着部材３ｃを保持させ、押さえ部材５ｂにて前記桟部材５Ａを押さえ付けて座金とワッシャーと共にナット３ｄを締め付けて取り付けること、が矢印で示され、加えて(7)前記桟部材５Ａに対し、流れ方向に隣接する太陽電池パネル６Ａ，６Ａを、覆い材７ａを介在させつつ取り付けることが示されているが、それらの手順は特に限定するものではない。
特に前記(2)〜(4)の作業に関し、前述のように予め締着部材３ａには緩くナット３ｂを連結しておいてもよい。より詳しくは締着部材３ａの雄ねじ部分の先端付近にナット３ｂを螺合しておき、この状態で、締着部材３ａの頭部３１を支持部材１Ａの溝部１１ａに収納し、ナット３ｂを把持しつつ、既に下地４Ｃに固定した固定部材２Ａの長孔溝２２２に、水上側からスライドさせるように臨ませて取り付ける。締着部材３ａを固定部材２Ａの長孔溝２２２にスライド状に取り付ける操作は、支持部材１Ａを固定部材２Ａの側壁２２，２２間にスライド状に取り付けつつ行う。
【００４４】
図４（ａ）は、前述の(1)〜(7)の作業を行って、固定部材２Ａ及び支持部材１Ａを取り付けた後、前記構成の桟部材５Ａ及び太陽電池パネル６Ａを取り付けた水下側の納めを示すものであって、図４（ｂ）はその水上側の納めを示す。
【００４５】
このように施工される本発明の外装構造は、面倒な手間を必要とすることもなく、部材（締着部材３ａ，３ｂ等）の落下等も生じ難く、また特殊な構成のナットを用いる必要もなく、極めて容易に支持部材１Ａを取り付けることができ、太陽電池パネル６Ａを極めて容易に設置することができる。
また、固定部材２Ａにレベル調整手段２４を設けているので、太陽電池パネル６Ａ等の外設部材を敷設する際にレベル調整をする必要が無く、そのために部材や時間を必要とすることなく、容易に太陽電池パネル６Ａ等の外設部材を敷設することができる。
【００４６】
また、本発明の支持部材１Ａの配設構造は、流れ方向の水下側、水上側に間隔を介して非連続状に（分割状に）支持部材１Ａを配設するので、微調整を容易に行うことができ、しかもこの微調整によって他部材へ影響を及ぼさないため、下地４Ｃの構成に影響されずに施工できる。また、太陽電池パネル６Ａ、６Ｗ，６Ｎ等のサイズに応じた支持部材を用意する必要もないため、材料費の低減を実現して安価に提供可能な構造となる。さらに、連続材を用いた従来の施工のように、軒先、棟側等に出っ張りや引っ込みが生ずることもないため、太陽電池パネル６Ａ等の周辺に化粧カバー７Ｂ，７Ｃ等も容易に取り付けることができる。
【００４７】
さらに、図示実施例では、支持部材１Ａと固定部材２Ａが、上方への規制手段（側壁２２の折曲部２２１、保持部２３など）を有して組み付けられているので、固定部材２Ａと支持部材１Ａとの取付強度が向上し、支持部材１Ａの上方への持ち上がりを防止することができる。
また、この図示実施例では、固定部材２Ａの側壁２２が、支持部材１Ａを包持する折曲部２２１を有するので、この構成自体が前記上方への規制手段の一態様となるばかりでなく、傾斜状の側壁２２（の上半）に長孔溝２２２を設けることとなるため、締着作業をより容易に行うことができる。即ち前記支持部材１Ａの溝部１１ａが外側やや上方が開放する構成と相俟って、締着部材３ａの雄ねじ部分が外側やや上方へ向いているため、この状態でナット３ｂを締め付けるレンチ等の治具の回動操作も容易となる。
さらに、この図示実施例では支持部材１Ａを、流れ方向に沿って、水下側、水上側が間隔を介して分割状（非連続状）に配するようにしたので、配設位置の微調整を行っても、他の支持部材１Ａに影響を及ぼすことがない。しかも、部材作製（製造）や管理の観点からも、取り扱いが容易な所定寸法の支持部材１Ａを用意しておけばよいので、この点でも望ましい。
【００４８】
次に、図６（ａ）に示す固定部材２Ａ、図６（ｂ）に示す固定部材２Ｂ、図６（ｃ）に示す固定部材２Ｃ、及び図６（ｄ）に示す固定部材２Ｄについて説明する。
図６（ａ）に示す固定部材２Ａは、前記図示実施例にも用いたので、既に説明したとおりであるが、側壁２２には長孔溝２２２の水下側に略円状の孔２２３を設けているので、この孔２２３から図示しないビスを打ち込んで支持部材１Ａとビス止めしてもよい。このビスも、上方への規制手段の一態様である。
【００４９】
図６（ｂ）に示す固定部材２Ｂは、側壁２２，２２が水上側ばかりでなく水下側にまで延在しており、保持部２３が設けられない以外は、前記図６（ａ）の固定部材２Ａとほぼ同様であるから、図面に同一符号を付して説明を省略する。
この固定部材２Ｂでは、前記上方への規制手段として前記固定部材２Ａと同様に折曲部２２１が支持部材１Ａを包持する効果が果たされる。さらに側壁２２，２２間に支持部材１Ａを保持する部分が前記固定部材２Ａより大きいので、支持部材１Ａのぐらつき（仮置き）を押さえる作用が大きい。
【００５０】
図６（ｃ）に示す固定部材２Ｃは、前記図５のレベル調整手段２４の説明に用いたものであり、側壁２２，２２が上端まで略鉛直状であって、折曲部２２１が設けられない以外は、前記図６（ａ）の固定部材２Ａとほぼ同様であるから、図面に同一符号を付して説明を省略する。
この固定部材２Ｃでは、前記上方への規制手段として前記固定部材２Ａと同様に保持部２３が支持部材１Ａの被保持部１４を保持する効果が果たされる。
【００５１】
図６（ｄ）に示す固定部材２Ｄは、保持部２３も折曲部２２１も設けられない以外は、前記図６（ａ）の固定部材２Ａとほぼ同様であるから、図面に同一符号を付して説明を省略する。
この固定部材２Ｄでは、前記上方への規制手段が設けられていないが、側壁２２，２２間に支持部材１Ａを保持する部分が前記固定部材２Ａより大きいので、支持部材１Ａのぐらつき（仮置き）を押さえる作用は大きい。
【００５２】
図７（ａ），（ｂ）に示す実施例、及び図７（ｃ）に示す実施例は、固定部材、支持部材、及び桟部材が別の態様を示すものである。
図７（ａ），（ｂ）の実施例における固定部材２Ｅは、屋根面４Ｃに固定する第１部材２６と、該第１部材２６の表面側の全外周を覆う第２部材２７と、前記第１部材２６及び前記第２部材２７を連結する第３部材２８とからなり、前記第１部材２６は、屋根面に防水材２６１を介して固定する固定部２６２と該固定部２６２に立設した縦杆２６３とを備え、前記第２部材２７は、前記第１部材２６を覆う被覆部２７１の外側に屋根面に防水材２７２を介して接地させる接地部２７３を周設し、前記被覆部２７１には前記縦杆２６３を挿通させる挿通孔を設け、前記第３部材２８は、前記縦杆２６３に取り付けて締着することにより、前記第２部材２７を屋根面に圧着するものである。この固定部材２Ｅにおいて、縦杆２６３が持出部であり、ナットである第３部材２８が取付部に相当する。
また、図７（ａ），（ｂ）の実施例における支持部材１Ｂは、両側面１６，１６上端が内側へ折曲（折曲部１６１）された略樋状の断面構成を有し、底面１７には、長さ方向に延びる通孔１７１が設けられている。この支持部材１Ｂにおいて、通孔１７１が取付受部に相当する。
そして、前記構成の固定部材２Ｅを下地４Ｃに固定すると共に一体的に組み付け、その縦杆（持出部）２６３に、前記支持部材１Ｂの通孔（取付受部）１７１を貫通させ、第３部材（ナット）２８を締め付けることにより、前記固定部材２Ｅと前記支持部材１Ｂとを一体化することができる。
さらに、固定された支持部材１Ｂには、桟部材５Ｅがボルトナットにて固定され、更に流れ方向に隣接する太陽電池パネル６Ａ，６Ａが固定され、その配設間隔には覆い材７ｄが配設されている。
【００５３】
図７（ｃ）の実施例における固定部材２Ｆは、下地４Ｃに沿わせる固定片２９１と略垂直状に立ち上がる縦片２９２と該縦片２９２の先端に設けられた溝部とからなり、前記縦片２９２が持出部であり、溝部に保持される締着部材３ｆが取付部に相当する。この溝部及び締着部材３ｆ、及びそれに取り付けるナット３ｇは、機構的には前記溝部１１ａ及び締着部材３ａ及びナット３ｂと同様であり、固定部材２Ｆと支持部材１Ｃとが一体的に固定される。
また、固定された支持部材１Ｃには、桟部材５Ｆがボルトナットにて固定され、該桟部材６Ｆには流れ方向に沿う流水部材８が取り付けられ、更に流れ方向に隣接する太陽電池パネル６Ａ，６Ａが固定され、その配設間隔には覆い材７ｅが配設されている。
【符号の説明】
【００５４】
１Ａ  支持部材
１１ａ〜１１ｃ  溝部
２Ａ〜２Ｅ  固定部材
２１  固定部
２２  持出部（側壁）
２２２  長孔溝（取付部）
２３  保持部
２４  レベル調整手段
３ａ  締着部材（取付受部）
３１  大径部
３ｂ  ナット
４Ｃ  下地（スレート屋根材）
５Ａ  桟部材
６Ａ  太陽電池パネル
７ａ  覆い材
７Ｂ，７Ｃ  納めカバー材
【図１】
0005664977.tif 000002
【図２】
0005664977.tif 000003
【図３】
0005664977.tif 000004
【図４】
0005664977.tif 000005
【図５】
0005664977.tif 000006
【図６】
0005664977.tif 000007
【図７】
0005664977.tif 000008